(57)【特許請求の範囲】
【請求項１】
仮設トイレのボックスの内側に設置される照明装置の取付構造であって、
前記ボックスは、その側壁の内外を連通する取付穴を備え、
前記取付穴は、前記側壁の内側から外側に対し、斜め下方に向けて設けられており、
前記照明装置は、前記取付穴を介して前記側壁の内側に該照明装置を支持させるように、該取付穴に引っ掛け可能に形成されている突出部を備え、
前記突出部の先端には、前記照明装置に対する外部配線に接続するための端子又は配線が配設されることにより、該突出部が引っ掛けられている前記取付穴を介して前記外部配線と前記端子又は配線が接続可能に構成されている仮設トイレの照明装置の取付構造。
【請求項２】
前記ボックスは、複数の前記取付穴を備え、
前記照明装置は、いずれかの前記取付穴に取り付け可能に構成されている請求項１に記載の仮設トイレの照明装置の取付構造。
【請求項３】
前記照明装置における前記突出部が設けられている面と、前記ボックスにおける前記取付穴が設けられている側壁の内側とに、前記照明装置の設置時に合致する凹凸形状を相対的に形成している請求項１又は２に記載の仮設トイレの照明装置の取付構造。
【請求項４】
請求項１〜３のいずれか一項に記載の仮設トイレの照明装置の取付構造を備えている仮設トイレ。
【発明の詳細な説明】
【技術分野】
【０００１】
本発明は、例えばイベント会場や工事現場などで使用される仮設トイレのボックスの内側に設置される照明装置の取付構造及びそれを備えた仮設トイレに関するものである。
【背景技術】
【０００２】
背景技術としては、特許文献１に記載された仮設トイレの照明装置を例示する。この仮設トイレは、図６に示すように、前側の壁板１０５に、光を少し透過する材料が用いられており、これの上部の外側壁に「TOILET」の文字からなる凹凸状の表示部１１１が、また内側壁に膨出部１１２が一体成形により構成されている。そして、膨出部１１２内に設けられたソケット１１５に電球１１４が螺合されている。そして、ソケット１１５に接続した電線の途中に介在させた照明スイッチ（図示略）により電球１１４を点灯させたり消灯させたりするようになっている。
【０００３】
この種の仮設トイレの設置に際し、少数棟を工事現場などに設置する場合は、一般に、照明スイッチがドアのすぐ近くにあって容易に手が届き点灯できる方が好まれる。
【先行技術文献】
【特許文献】
【０００４】
【特許文献１】実公平６−５０８９９号公報
【発明の概要】
【発明が解決しようとする課題】
【０００５】
ところが、イベント会場などで多数のトイレが連棟される場合は、照明装置の配線をトイレ背面の壁から導入することにより、複数の仮設トイレの照明装置に対し電源側で一括して点灯／消灯の操作が可能に構成することがある。そのため、この変更の度に、仮設トイレの壁に配線穴を開けたり塞いだり、場合によっては照明装置を付けたり外したりしなければならず、時間と費用が掛かっている。
【０００６】
また、レンタル会社が保有している仮設トイレの場合は、レンタル終了により返却されてきたものを洗浄する際に、照明装置、照明スイッチ、それらの配線等が水で濡れて壊れないように取り外すか、カバーするか、注意して洗浄する必要があり、作業に手間がかかっている。
【課題を解決するための手段】
【０００７】
前記課題を解決するために、本発明の仮設トイレの照明装置の取付構造は、
仮設トイレのボックスの内側に設置される照明装置の取付構造であって、
前記ボックスは、その側壁の内外を連通する取付穴を備え、
前記取付穴は、前記側壁の内側から外側に対し、斜め下方に向けて設けられており、
前記照明装置は、前記取付穴を介して前記側壁の内側に該照明装置を支持させるように、該取付穴に引っ掛け可能に形成されている突出部を備え、
前記突出部の先端には、前記照明装置に対する外部配線に接続するための端子又は配線が配設されることにより、該突出部が引っ掛けられている前記取付穴を介して前記外部配線と前記端子又は配線が接続可能に構成されている。
【０００８】
この構成によれば、前記照明装置に対する外部配線が前記ボックスの前記取付穴及び前記突出部を介して該照明装置に直接接続されるようになっているため、該照明装置に対する外部配線を前記ボックス内に配設する必要がない。また、前記ボックスに対して前記照明装置が着脱可能に構成されており、前記ボックス内に前記外部配線が配設されていないため、前記照明装置の着脱作業を容易に行うことができる。
また、この構成によれば、前記照明装置が設置されていない前記取付穴を塞いでいなくても、前記ボックスの外側から該取付穴を介して内側に風、雨、雪、粉塵等が入りこむことを防止できる。さらに、前記取付穴を、前記ボックスの側壁の高さの略１／２以上の位置に設けておけば、前記照明装置が設置されていない前記取付穴を塞いでいなくても、該取付穴から前記ボックス内の下部が覗かれることを防止することができる。
【０００９】
前記仮設トイレの照明装置の取付構造においては、
前記ボックスは、複数の前記取付穴を備え、
前記照明装置は、いずれかの前記取付穴に選択的に取り付け可能に構成されている態様を例示する。
【００１０】
この構成によれば、前記ボックスに対する前記照明装置の設置位置及び外部配線の接続位置を一括して適宜変更することができる。
【００１３】
前記仮設トイレの照明装置の取付構造においては、
前記照明装置における前記突出部が設けられている面と、前記ボックスにおける前記取付穴が設けられている側壁の内側とに、前記照明装置の設置時に合致する凹凸形状を相対的に形成している態様を例示する。
【００１４】
この構成によれば、前記ボックスの側壁に対し、前記照明装置を安定的に設置することができる。
【００１５】
本発明の仮設トイレは、いずれかの前記仮設トイレの照明装置の取付構造を備えている。
【００１６】
この構成によっても、いずれかの前記仮設トイレの照明装置の取付構造と同様の効果を得ることができる。
【発明の効果】
【００１７】
本発明に係る仮設トイレの照明装置の取付構造及びそれを備えた仮設トイレによれば、照明装置に対する外部配線を仮設トイレのボックス内に配設する必要がなく、照明装置の着脱作業を容易に行うことができるという優れた効果を奏する。
【図面の簡単な説明】
【００１８】
【図１】本発明を具体化した一実施形態に係る仮設トイレの一部破断側面図である。
【図２】図１のＩＩ−ＩＩ線断面図である。
【図３】同仮設トイレの照明装置の取付構造を示す側断面図であり、（ａ）は照明装置を取り付けた状態、（ｂ）は照明装置を取り外した状態をそれぞれ示している。
【図４】同照明装置の背面に設けられた突出部の斜視図である。
【図５】同照明装置の電気系統を示すブロック図である。
【図６】従来の仮設トイレの一部破断平面図である。
【発明を実施するための形態】
【００１９】
図１〜図５は本発明を具体化した一実施形態の仮設トイレ１の照明装置５の取付構造及びそれを備えた仮設トイレ１を示している。図１に示すように、本例の仮設トイレ１は、ベースとなる便槽２と、該便槽２の上に設けられ、人が出入り可能に構成されたボックス３と、該ボックス３の内側に設置される照明装置５とを備えている。
【００２０】
ボックス３は、図１〜図３に示すように、前後左右の４枚の側壁１０Ａ、１０Ｂ、１０Ｃ、１０Ｃを備えており、前側の側壁１０Ａにはドア１１が開閉可能に取り付けられており、後側の側壁１０Ｂには自然換気用のスリット１２が設けられている。本例では、後側及び左右両側の各側壁１０Ｂ、１０Ｃ、１０Ｃは、該各側壁の内外を連通する取付穴１５を備えるとともに、各取付穴１５の下方に所定の間隔をおいて凹部１６が設けられている。側壁１０の外側における取付穴１５の開口は、上側の縁部に垂下部１５ａが形成されることにより、開口が狭められている。取付穴１５は、いずれかの側壁１０に対し複数設けてもよい。例えば、幅方向の異なる位置に設けたり、洋式トイレ用と和式トイレ用などのタイプ別に異なる高さに設けたりするようにしてもよい。本例の取付穴１５は、側壁１０の内側から外側に対し、斜め下方に向けて設けられている。そして、本例の取付穴１５は、それが使用されていないときは、自然換気口としても機能するようになっている。
【００２１】
照明装置５は、図３〜図５に示すように、縦長に形成された筐体５ａを備えており、上部にボックス３内を照らす光源２０（電球、蛍光灯、発光ＬＥＤなど）が、下部に照明スイッチ２１、人感センサ２２及び点灯制御部２４が、それらの中間部に予備のトイレットペーパーの収納部２５が、それぞれ配設されている。筐体５ａの背面には、取付穴１５を介して側壁１０の内側に該照明装置５を支持させるように、該取付穴１５に引っ掛け可能に形成されている突出部２６を備えている。突出部２６の先端には、照明装置５に対する外部配線２７に接続するための端子２８（又は配線にしてもよい。）が配設されることにより、該突出部２６が引っ掛けられている取付穴１５を介して外部配線２７と端子２８が接続可能に構成されている。本例の突出部２６には、外部電源３０を接続するための２つの端子２８が配設されている。本例の端子２８は、外部配線２７としての電線を穴２８ａに差し込むと、一対の金属部品（図示略）で挟み込んで接続する方式となっているが、これに限定されず、該電線をネジ止めして接続する方式など、他の公知の接続方式を適宜採用することができる。本例の点灯制御部２４は、照明スイッチ２１がＯＮにされるか、又は、人感センサ２２が人の存在を検知するかのいずれかの状態になると、光源２０を点灯させるように構成されている。照明装置５の背面における突出部２６の下方には、該突出部２６から所定の間隔をおいて、凸部３１が設けられており、照明装置５の設置時に側壁１０に設けられた凹部１６に合致するようになっている。
【００２２】
次に、仮設トイレ１に対する照明装置５の取り付け及び取り外し方法について説明する。まず、取り付け方法について説明すると、照明装置５を取り付けようとする取付穴１５における側壁１０の外側から内側に外部配線２７を通す。次いで、その外部配線２７を突出部２６に設けられた端子２８に接続する。次いで、突出部２６を取付穴１５に引っ掛けるとともに、突出部２６の下方の凸部３１を取付穴１５の下方の凹部１６に合致させると、取り付けが完了する。なお、取り外し方法については、取り付け方法の逆のことを行えばよい。
【００２３】
以上のように構成された本例の仮設トイレ１の照明装置５の取付構造によれば、照明装置５に対する外部配線２７がボックス３の取付穴１５及び突出部２６を介して該照明装置５に直接接続されるようになっているため、該照明装置５に対する外部配線２７をボックス３内に配設する必要がない。また、ボックス３に対して照明装置５が着脱可能に構成されており、ボックス３内に外部配線２７が配設されていないため、照明装置５の着脱作業を容易に行うことができる。
【００２４】
また、ボックス３は、複数の取付穴１５を備え、照明装置５は、いずれかの取付穴１５に選択的に取り付け可能に構成されているので、ボックス３に対する照明装置５の設置位置及び外部配線２７の接続位置を一括して適宜変更することができる。
【００２５】
また、取付穴１５は、側壁１０の内側から外側に対し、斜め下方に向けて設けられているので、取付穴１５を塞いでいなくても、ボックス３の外側から該取付穴１５を介して内側に風、雨、雪、粉塵等が入りこむことを防止できる。さらに、取付穴１５を、ボックス３の側壁の高さの略１／２以上の位置に設けておけば、照明装置５が設置されていない取付穴１５を塞いでいなくても、該取付穴１５からボックス３内の下部が覗かれることを防止することができる。
【００２６】
さらに、照明装置５における突出部２６が設けられている面と、ボックス３における取付穴１５が設けられている側壁１０の内側とに、照明装置５の設置時に合致する凹凸形状（凹部１６及び凸部３１）を相対的に形成しているので、ボックス３の側壁１０に対し、照明装置５を安定的に設置することができる。
【００２７】
そして、本発明の仮設トイレ１は、いずれかの仮設トイレ１の照明装置５の取付構造を備えているので、同いずれかの取付構造と同様の効果を得ることができる。
【００２８】
なお、本発明は前記実施形態に限定されるものではなく、例えば以下のように、発明の趣旨から逸脱しない範囲で適宜変更して具体化することもできる。
（１）前側の側壁１０Ａに取付穴１５を設けること。
（２）照明装置５が設置されていない取付穴１５を塞いでおくようにすること。
（３）照明装置５における突出部２６が設けられている面と、ボックス３における取付穴１５が設けられている側壁１０の内側とに、照明装置５の設置時に相対的に合致する凹凸形状を、本例とは逆に構成すること。具体的には、照明装置５の側に凹形状を設け、側壁１０の側に凸形状を設けるようにすること。
（４）側壁１０に設けられた自然換気用のスリット（本例の場合であれば、後側の側壁１０Ｂに設けられたスリット１２）を取付穴として用い、突出部２６を該スリットに引っ掛け可能に形成すること。
（５）外部配線２７の先端と端子２８（又は配線）とに互いに嵌合するコネクタをそれぞれ設け、該両コネクタを介して外部配線２７と端子２８（又は配線）を接続するように構成すること。
【符号の説明】
【００２９】
１    仮設トイレ
２    便槽
３    ボックス
５    照明装置
５ａ  筐体
１０    側壁
１０Ａ  前側の側壁
１０Ｂ  後側の側壁
１０Ｃ  左側又は右側の側壁
１１    ドア
１２    スリット
１５    取付穴
１５ａ  垂下部
１６    凹部
２０    光源
２１    照明スイッチ
２２    人感センサ
２４    点灯制御部
２５    収納部
２６    突出部
２７    外部配線
２８    端子
２８ａ  穴
３０    外部電源
３１    凸部
【図１】
0006498077.tif 000002
【図２】
0006498077.tif 000003
【図３】
0006498077.tif 000004
【図４】
0006498077.tif 000005
【図５】
0006498077.tif 000006
【図６】
0006498077.tif 000007